(57)【特許請求の範囲】
【請求項１】
透液性のトップシートと不透液性のバックシートとの間に吸収体が介装され、着用者の腹側に位置する腹側部、背側に位置する背側部、及び前記腹側部と前記背側部との間に位置する股下部が設けられ、前記背側部の前記バックシートの前記トップシートと反対側の面である外面側の幅方向の両端部の各々に、長手方向に並列に一対ずつ配設される止着部材と、前記腹側部の外面に設けられ、前記止着部材を着脱自在に係止可能な被止着部と、を備えた紙おむつであって、
前記止着部材の各々に対して、前記バックシートと別体で形成され、当該止着部材を覆うとともに、前記幅方向の外側の端部に開口を有する被覆部が形成され、
前記長手方向に並列する一対の被覆部は、一方の被覆部における前記長手方向の端部のうち、当該一方の被覆部と並列に形成された他方の被覆部側の第１端部が、前記幅方向の外側の端部に向かうにつれて前記他方の被覆部側に傾斜するように形成され、
前記止着部材は、
基端部側に形成され、前記背側部の幅方向に伸縮自在な伸縮部と、
前記基端部の反対側の端部側に形成された止着部配設部と、
前記止着部配設部の内面側に配設され、装着時に前記被止着部に止着される止着部と、
を備え、
前記止着部は、
前記伸縮部の非伸長時に前記背側部の幅方向の端部の外側に表出しないように配設されていることを特徴とする紙おむつ。
【請求項２】
前記一方の被覆部における前記長手方向の端部のうち、当該一方の被覆部と並列に形成された他方の被覆部側と反対側の第２端部が、前記第１端部と平行になるように形成され、
前記伸縮部は、前記被覆部により規制された方向に伸縮自在に形成されていることを特徴とする請求項１に記載の紙おむつ。
【請求項３】
前記一対ずつ配設された止着部材のうち、前記背側部の長手方向の内側の止着部材は、外側の止着部材に比べて、前記伸縮部の伸縮率が大きくなるように形成されていることを特徴とする請求項１又は２に記載の紙おむつ。
【請求項４】
前記背側部の外面側の前記止着部と対向する位置に、前記止着部と係合しない素材からなる非止着部が形成されていることを特徴とする請求項１〜３のいずれか一項に記載の紙おむつ。
【請求項５】
前記被覆部は、前記幅方向の外側の端部が凹形状に形成されていることを特徴とする請求項１〜４のいずれか一項に記載の紙おむつ。
【発明の詳細な説明】
【技術分野】
【０００１】
本発明は、紙おむつに関する。
【背景技術】
【０００２】
従来、紙おむつには、背側部の幅方向の両端部から延在する止着テープ等の止着部材を具備し、当該止着部材に配設されたフック材等の止着部を腹側部の所定の被止着部に止着させるように構成されたものが知られている。
また、紙おむつは、一般に、液透過性のトップシートと、液不透過性のバックシートと、これら両シートの間に配置された吸収体と、を備えており、着用時に排泄された尿等の排泄物を液透過性のトップシートを介して吸収体に保持し、液不透過性のバックシートにより、排泄物が紙おむつの外に漏れ出すのを防ぐ構造になっている。
【０００３】
このような紙おむつにおいては、交換作業時に止着部材に配設された止着部が衣服に貼り付いて余計な手間が生じたり、止着部が着用者の肌に接触して着用者に不快な思いを抱かせたりする等の不都合が生じることがある。
そこで、止着部材上に止着部を係合可能な仮係合領域を配設し、止着部と仮係合領域とを係合させた状態で保持することで止着部の表出を防ぐ紙おむつが開示されている（例えば、特許文献１参照）。
【先行技術文献】
【特許文献】
【０００４】
【特許文献１】特開２００９−５０６９４号公報
【発明の概要】
【発明が解決しようとする課題】
【０００５】
しかしながら、上記特許文献１記載の発明では、紙おむつを着用者に装着させる際に、止着部と仮係合領域との係合状態を解放する作業を行う必要があるため、手間が生じていた。
【０００６】
本発明は、非装着時に止着部材に配設された止着部の表出を防ぐとともに、装着時に止着部を被止着部に簡易に止着させることができる紙おむつを提供することを目的とする。
【課題を解決するための手段】
【０００７】
請求項１に記載の発明は、上記目的を達成するためになされたものであり、
透液性のトップシートと不透液性のバックシートとの間に吸収体が介装され、着用者の腹側に位置する腹側部、背側に位置する背側部、及び前記腹側部と前記背側部との間に位置する股下部が設けられ、前記背側部の前記バックシートの前記トップシートと反対側の面である外面側の幅方向の両端部の各々に、長手方向に並列に一対ずつ配設される止着部材と、前記腹側部の外面に設けられ、前記止着部材を着脱自在に係止可能な被止着部と、を備えた紙おむつであって、
前記止着部材の各々に対して、前記バックシートと別体で形成され、当該止着部材を覆うとともに、前記幅方向の外側の端部に開口を有する被覆部が形成され、
前記長手方向に並列する一対の被覆部は、一方の被覆部における前記長手方向の端部のうち、当該一方の被覆部と並列に形成された他方の被覆部側の第１端部が、前記幅方向の外側の端部に向かうにつれて前記他方の被覆部側に傾斜するように形成され、
前記止着部材は、
基端部側に形成され、前記背側部の幅方向に伸縮自在な伸縮部と、
前記基端部の反対側の端部側に形成された止着部配設部と、
前記止着部配設部の内面側に配設され、装着時に前記被止着部に止着される止着部と、
を備え、
前記止着部は、
前記伸縮部の非伸長時に前記背側部の幅方向の端部の外側に表出しないように配設されていることを特徴とする。
【０００８】
請求項２に記載の発明は、請求項１に記載の紙おむつにおいて、
前記一方の被覆部における前記長手方向の端部のうち、当該一方の被覆部と並列に形成された他方の被覆部側と反対側の第２端部が、前記第１端部と平行になるように形成され、
前記伸縮部は、前記被覆部により規制された方向に伸縮自在に形成されていることを特徴とする。
【０００９】
請求項３に記載の発明は、請求項１又は２に記載の紙おむつにおいて、
前記一対ずつ配設された止着部材のうち、前記背側部の長手方向の内側の止着部材は、外側の止着部材に比べて、前記伸縮部の伸縮率が大きくなるように形成されていることを特徴とする。
【００１０】
請求項４に記載の発明は、請求項１〜３のいずれか一項に記載の紙おむつにおいて、
前記背側部の外面側の前記止着部と対向する位置に、前記止着部と係合しない素材からなる非止着部が形成されていることを特徴とする。
【００１１】
請求項５に記載の発明は、請求項１〜４のいずれか一項に記載の紙おむつにおいて、
前記被覆部は、前記幅方向の外側の端部が凹形状に形成されていることを特徴とする。
【発明の効果】
【００１２】
本発明によれば、止着部は、止着部配設部が幅方向外側に引き出されるまで表出しないので、止着部が衣服に貼り付いて余計な手間が生じたり、止着部が着用者の肌に接触して着用者に不快な思いを抱かせたりする等の不都合が生じることはない。また、伸縮部を幅方向に伸長させるだけで止着部を表出させることができるので、紙おむつの装着時に止着部を被止着部に簡易に止着させることができる。加えて、伸縮部が伸縮可能なので、被止着部に止着部が被着された際に、伸縮部が伸縮することで着用者の腰周りが過度に締め付けられることがなく、装着感を向上させることができる。さらに、被覆部は、第１端部が、幅方向の外側の端部に向かうにつれて他方の被覆部側に傾斜するように形成されているので、止着部材のクロス止めを行うことができることとなって、着用者の体型に合わせて紙おむつを装着させることができる。また、クロス止めをした場合でも、止着部材の基端部側にシワができにくくなるため、シワの形成に伴う着用者の肌に対する刺激を軽減することができる。
従って、非装着時に止着部材に配設された止着部の表出を防ぐとともに、装着時に止着部を被止着部に簡易に止着させることができる。
【図面の簡単な説明】
【００１３】
【図１】本発明を適用した吸収性物品として例示する一実施形態の紙おむつの展開図である。
【図２】図１の紙おむつを組み立てた状態を示す斜視図である。
【図３】図１の紙おむつの止着部材を背側部の外面側からみた図である。
【図４】図３のIV−IV線における止着部材の要部断面図である。
【図５】図３の止着部材の伸縮部が幅方向に伸長した様子の一例について示した図である。
【図６】図５の状態から止着部材が自身と並列に配設された止着部材側に移動した様子の一例について示した図である。
【図７】図３の被覆部の一変形例について示した図である。
【図８】図３の止着部材のうち、背側部の長手方向の内側の止着部材が、外側の止着部材に比べて、伸縮部の伸縮率が大きくなる一変形例について示した図である。
【図９】図１の紙おむつに非止着部を設けた一変形例について示した図である。
【図１０】図３の被覆部の一変形例について示した図である。
【図１１】図４の伸縮部の一変形例について示した図である。
【発明を実施するための形態】
【００１４】
以下、本発明の実施の形態を図面に基づいて説明する。
【００１５】
本実施形態に係る紙おむつ１００は、例えば、止着テープ２０を所定位置に止着することで着用者に装着され、装着状態にて着用者の股下部７を腹側から背側にかけて覆うように形成される止着式の紙おむつ１００である（図２参照）。
なお、以下の説明にあっては、着用者の背側から股下を通って腹側に亘る方向を長手方向Ｘとし、長手方向Ｘに略直交する一の方向を幅方向Ｙとする。
【００１６】
紙おむつ１００は、図１，２に示すように、着用者の身体との接触面側に設けられる透液性の不織布からなるトップシート１と、装着時に身体との接触面と反対側の外部側に設けられる不透液性のバックシート２と、トップシート１とバックシート２との間に介装される吸収体３と、トップシート１側の吸収体３の両側部に、紙おむつ１００の長手方向Ｘに沿って備えられるギャザーシート４、４と、を備えている。
【００１７】
また、紙おむつ１００の長手方向Ｘの一方の端部（図１における下端部）には、着用者の腹側に配置されて腹周りを被覆する腹側部５が形成され、他方の端部（図１における上端部）には、着用者の背側に配置されて背周りを被覆する背側部６が形成され、腹側部５と背側部６との間に、着用者の股間部を被覆する股下部７が形成されている。
【００１８】
トップシート１は、尿などの体液を速やかに透過させる透液性を有する素材から形成され、体液を受けて、吸収体３まで輸送する機能を有する。
トップシート１は、不織布が好適に用いられ、具体的には、ポリエチレン又はポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものが用いられる。
【００１９】
バックシート２は、吸収体３を固定する外装体を構成している。また、バックシート２は、不透液性を有する素材から形成され、体液などの紙おむつ１００外部への染み出し、漏れ出しを防ぐ機能を有する。
バックシート２は、例えば、ポリエチレンフィルムからなるシート材であって、ムレ防止の観点から透湿性を有するシート材であることが好ましい。
なお、バックシート２の外側にポリエチレンやポリプロピレン等の不織布を貼り合わせることとしても良く、この場合は紙おむつ１００の外装が布のような風合いになり、肌触りがよくなる。
【００２０】
吸収体３は、腹側部５の所定位置から股下部７を通って背側部６の所定位置に亘るように配設されている。また、吸収体３は、例えば、当該紙おむつ１００の形状に対応させるように、股下部７側が腹側部５側及び背側部６側に対して幅狭に形成されている。
この吸収体３は、紙おむつ１００の使用時に体液としての尿等の水様成分を吸収するものである。具体的には、吸収体３は、綿やパルプ等の吸収性素材や、繊維或いはフィルム等のシート状基材と高吸収性ポリマーのような高吸水性樹脂とが組み合わされて形成された吸収体コアが、透液性のクレープ紙、不織布、孔開きシート等の被覆部材により覆われて構成されている。
高吸水性樹脂としては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
【００２１】
ギャザーシート４は、トップシート１側において、吸収体３の長手方向Ｘに沿った両側部に、腹側部５から背側部６に亘ってそれぞれ備えられている。
ギャザーシート４の幅方向Ｙ外側の部分は、吸収体３の側方でバックシート２及びトップシート１の上面に固着されている。また、ギャザーシート４の幅方向Ｙ内側の部分は、腹側部５及び背側部６の長手方向Ｘ側の各端部付近ではトップシート１に固着されているものの、それ以外の部分ではトップシート１に固着されず、その長手方向Ｘに沿って複数の弾性部材（例えば、糸ゴム等）が略平行に備えられ、断面略「く」字状及び逆「く」字状に立ち上がって着用者の体型に合わせて伸縮自在に変形可能な立体ギャザーが形成されている。
【００２２】
腹側部５は、股下部７よりも幅方向Ｙ外側に突出するように形成されている。また、腹側部５の長手方向Ｘ側の端部の外面（着用者の身体と反対側の面）側には、図２に示すように、止着テープ２０を係止する被止着部５１が設けられている。
被止着部５１は、腹側部５の長手方向Ｘ側の端部の外面（着用者の身体と反対側の面）側に設けられ、止着テープ２０に設けられた止着部２３を係止するためのメス材の係止要素を構成している。
具体的には、被止着部５１は、例えば、係止用不織布により構成され、基材シートに止着部２３のフック材と機械的に係合するループ状の繊維であるループ材が配置されて構成されている。なお、係止用不織布としては、例えば、ポリエチレン、ポリプロピレン、ポリエチレンテレフタレート、ナイロンなど、広く知られた汎用性の高い可塑性素材からなる単組成の素材若しくは複合組成の素材を用いることができる。
なお、被止着部５１とバックシート２は、一体として同様の素材から構成しても良いし、被止着部５１のみをバックシート２と異なる素材から構成しても良い。
【００２３】
背側部６は、股下部７よりも幅方向Ｙ外側に突出するように形成されている。背側部６の外面（着用者の身体と反対側の面）側の幅方向Ｙの両端部の各々には、止着部材としての止着テープ２０が設けられるとともに、この止着テープ２０を覆うように、被覆部６１が形成されている。なお、止着テープ２０及び被覆部６１の詳細な構成については、後述する（図３〜６参照）。
また、背側部６には、例えば、糸ゴム等の弾性部材（図示略）が幅方向Ｙに沿って配設され、この弾性部材により平面ギャザー（背モレギャザー）が形成されている。これにより、紙おむつ１００の使用の際に、着用者の胴周りにて、当該紙おむつ１００が伸縮自在となるように構成されている。
【００２４】
股下部７の幅方向Ｙの両縁部の各々には、腹側部５の幅方向Ｙの各端部から股下部７を通り背側部６の幅方向Ｙの各端部に亘って、紙おむつ１００の着用者の脚周りを囲む一対の脚周り部８、８が形成されている。
一対の脚周り部８、８には、例えば、糸ゴム等の複数の弾性部材８ａ、…が当該脚周り部８の湾曲形状に合わせてそれぞれ設けられている。そして、弾性部材８ａにより平面ギャザーが形成され、着用者の脚周りに伸縮自在にフィットし、横漏れを防止するようになっている。
【００２５】
次に、止着テープ２０及び被覆部６１について、図１〜６を参照して詳細に説明する。
止着テープ２０は、幅方向Ｙに長尺な矩形状を成すように形成され、背側部６の幅方向Ｙの両端部の各々に、幅方向Ｙ外側にわずかに延出するように、長手方向Ｘに並列に一対ずつ配設されている。具体的には、止着テープ２０は、幅方向Ｙ外側に５ｍｍ以上延出していればよく、より好ましい形態としては、幅方向Ｙ外側に１０ｍｍ以上延出しているとよい。
また、止着テープ２０は、幅方向Ｙの内側の端部（例えば、図３の右端部）が、基端部として背側部６の外面（着用者の身体と反対側の面）側に固着されている。そして、図２に示すように、止着テープ２０が、着用者の腹周りに沿うように、腹側部５の長手方向Ｘ側の端部の外面（着用者の身体と反対側の面）側に設けられた被止着部５１に止着されることで、当該紙おむつ１００が着用者に装着された状態となる。
【００２６】
止着テープ２０は、図１〜６に示すように、基端部（幅方向Ｙの内側の端部）側に形成された伸縮部２１と、基端部の反対側の端部（幅方向Ｙの外側の端部）側に形成された止着部配設部２２と、止着部配設部２２の内面（着用者の身体側の面）側に配設された止着部２３と、を備えている。
【００２７】
伸縮部２１は、糸ゴムや弾性発泡体の帯状物、フィルム状の弾性体、ネット状の弾性体、ポリウレタン等の伸縮性を有する素材等で形成され、幅方向Ｙに伸縮自在に形成されている。伸縮部２１は、図４に示すように、内面（着用者の身体側の面）側において、ホットメルト等の接着剤や、熱や超音波によるシール等により、背側部６と接着されている。即ち、止着テープ２０は、伸縮部２１を備えることにより、幅方向Ｙに自在に伸縮できるようになっている（図２，５参照）。
止着部配設部２２は、例えば、プラスチック製のシートや不織布等により形成され、当該止着部配設部２２の自由端部（幅方向Ｙの外側の端部）は、伸縮部２１の非伸長時に背側部６の幅方向Ｙの端部の外側にわずかに延出するように形成されている。止着部配設部２２は、図４に示すように、外面（着用者の身体と反対側の面）側又は内面（着用者の身体側の面）側において、ホットメルト等の接着剤や、熱や超音波によるシール等により、伸縮部２１と接着されている。そして、止着部配設部２２の自由端部の内面（着用者の身体側の面）側に、例えば、所定の接着剤により止着部２３が接着固定されている。ここで、止着部２３は、図３に示すように、紙おむつ１００の非装着時、即ち、伸縮部２１の非伸長時に、背側部６の幅方向Ｙの端部の外側に表出しないように配設されている。これにより、紙おむつ１００の非装着時に、止着テープ２０に設けられた止着部２３の表出を防ぐことができる。
【００２８】
止着部２３は、例えば、略矩形状に形成され、面ファスナのオス材の係止要素である、鉤状、きのこ状、錨状等の多数の突起が形成されたフック材が設けられている。そして、止着部２３は、図２に示すように、バックシート２の外面（着用者の身体と反対側の面）における腹側部５の所定位置に形成された被止着部５１に止着される。
従って、止着テープ２０は、止着部２３を介して、腹側部５の長手方向Ｘ側の端部の外面（着用者の身体と反対側の面）側に設けられた被止着部５１に着脱自在に係止可能となっている。
【００２９】
被覆部６１は、例えば、ポリエチレンフィルムやエチレン、プロピレン等の不織布、或いはこれらのフィルムや不織布を貼り合せた素材等で形成され、止着テープ２０の各々に対して、当該止着テープ２０を覆うように形成されている。この被覆部６１は、止着テープ２０の幅方向Ｙへの伸長を妨げないように、幅方向Ｙの外側の端部６１ａ（例えば、図３の左端部）に開口を有している。
また、長手方向Ｘに並列する一対の被覆部６１、６１は、一方の被覆部６１における長手方向Ｘの端部のうち、当該一方の被覆部６１と並列に形成された他方の被覆部６１側の第１端部６１ｂが、幅方向Ｙの外側の端部６１ａに向かうにつれて他方の被覆部６１側に傾斜するように形成されている。これにより、止着テープ２０は、幅方向Ｙへの伸長動作に加え、例えば、図６に示すように、自身と並列に配設された止着テープ２０側への移動を行うことが可能となるため、クロス止めを行うことができるようになる。また、止着テープ２０は、被覆部６１によりクロス止めを行う方向と反対の方向には移動できないように規制されているので、着用者に装着させる際に誤使用を防ぐことができるようになっている。
【００３０】
次に、紙おむつ１００の着用者の身体に対する装着方法について説明する。
まず、最初の装着時において、紙おむつ１００の背側部６を着用者の身体の背側に当接させるようにして、当該紙おむつ１００を着用者の身体の下側に載置する。
次に、股下部７及び腹側部５の中心を着用者の身体の中心に合わせながら当該腹側部５を着用者の身体の手前側に配置させる。
そして、背側部６の外面側の幅方向Ｙの両端部の各々に設けられた止着テープ２０の止着部配設部２２を幅方向Ｙ外側に引き出すことにより、伸縮部２１を幅方向Ｙに伸長させる。
最後に、伸縮部２１が伸長した止着テープ２０を着用者の身体の腹周りに沿って配設し、止着部２３を腹側部５の長手方向Ｘ側の端部の外面側に設けられた被止着部５１に止着させる。止着テープ２０を止着させる際、当該止着テープ２０を自身と並列に配設された止着テープ２０側へと移動させて止着させることで、クロス止めを行うようにしてもよい。これにより、紙おむつ１００を着用者の身体に装着することができる。
【００３１】
以上のように、本実施形態に係る紙おむつ１００によれば、止着テープ２０の各々に対して、当該止着テープ２０を覆うとともに、幅方向Ｙの外側の端部６１ａに開口を有する被覆部６１が形成され、長手方向Ｘに並列する一対の被覆部６１、６１は、一方の被覆部６１における長手方向Ｘの端部のうち、当該一方の被覆部６１と並列に形成された他方の被覆部６１側の第１端部６１ｂが、幅方向Ｙの外側の端部６１ａに向かうにつれて他方の被覆部６１側に傾斜するように形成され、止着テープ２０は、基端部側に形成され、背側部６の幅方向Ｙに伸縮自在な伸縮部２１と、基端部の反対側の端部側に形成された止着部配設部２２と、止着部配設部２２の内面側に配設され、装着時に被止着部５１に止着される止着部２３と、を備え、止着部２３は、伸縮部２１の非伸長時に背側部６の幅方向Ｙの端部の外側に表出しないように配設されている。
【００３２】
このため、止着部２３は、止着部配設部２２が幅方向Ｙ外側に引き出されるまで表出しないので、止着部２３が衣服に貼り付いて余計な手間が生じたり、止着部２３が着用者の肌に接触して着用者に不快な思いを抱かせたりする等の不都合が生じることはない。
また、伸縮部２１を幅方向Ｙに伸長させるだけで止着部２３を表出させることができるので、紙おむつ１００の装着時に止着部２３を被止着部５１に簡易に止着させることができる。
加えて、伸縮部２１が伸縮可能なので、被止着部５１に止着部２３が被着された際に、伸縮部２１が伸縮することで着用者の腰周りが過度に締め付けられることがなく、装着感を向上させることができる。
さらに、被覆部６１は、第１端部６１ｂが、幅方向Ｙの外側の端部６１ａに向かうにつれて他方の被覆部６１側に傾斜するように形成されているので、止着テープ２０のクロス止めを行うことができることとなって、着用者の体型に合わせて紙おむつ１００を装着させることができる。
また、クロス止めをした場合でも、止着テープ２０の基端部側にシワができにくくなるため、シワの形成に伴う着用者の肌に対する刺激を軽減することができる。
【００３３】
以上、本発明に係る実施形態に基づいて具体的に説明したが、本発明は上記実施形態に限定されるものではなく、その要旨を逸脱しない範囲で変更可能である。
【００３４】
＜変形例１＞
例えば、図７に示す例では、一方の被覆部６１における長手方向Ｘの端部のうち、当該一方の被覆部６１と並列に形成された他方の被覆部６１側と反対側の第２端部６１ｃが、第１端部６１ｂと平行になるように形成されている。そして、伸縮部２１は、被覆部６１により規制された方向、即ち、クロス止めを行う方向、に伸縮自在に形成されている。
【００３５】
以上のように、変形例１に係る紙おむつ１００によれば、一方の被覆部６１における長手方向Ｘの端部のうち、当該一方の被覆部６１と並列に形成された他方の被覆部６１側と反対側の第２端部６１ｃが、第１端部６１ｂと平行になるように形成され、伸縮部２１は、被覆部６１により規制された方向に伸縮自在に形成されているので、スムーズにクロス止めを行うことができることとなって、着用者の使用感を向上させることができる。また、止着テープ２０の止着方法をクロス止めに限定することができるので、着用者に装着させる際に誤使用を防ぐことができることとなって、装着作業を簡便なものとすることができる。
【００３６】
＜変形例２＞
また、図８に示す例では、背側部６の外面側（着用者の身体と反対側の面）の幅方向Ｙの両端部の各々に、一対ずつ配設された止着テープ２０（２０Ａ、２０Ｂ）のうち、背側部６の長手方向Ｘの内側の止着テープ２０Ｂは、外側の止着テープ２０Ａに比べて、伸縮部２１の伸縮率が大きくなるように形成されている。
【００３７】
以上のように、変形例２に係る紙おむつ１００によれば、一対ずつ配設された止着テープ２０（２０Ａ、２０Ｂ）のうち、背側部６の長手方向Ｘの内側の止着テープ２０Ｂは、外側の止着テープ２０Ａに比べて、伸縮部２１の伸縮率が大きくなるように形成されているので、例えば、着用者が仰臥位から座位の体勢をとる場合のように、腹回りと比べて脚回りの方が寸法の変化が大きい場合であっても、脚回り側の止着テープ２０Ｂの伸縮率が大きいので、体勢を移動させた場合の圧迫感を軽減することができることとなって、着用者の使用感をさらに向上させることができる。
【００３８】
＜変形例３＞
また、図９に示す例では、背側部６の外面側（着用者の身体と反対側の面）の止着部２３と対向する位置に、止着部２３のフック材と係合しない素材（例えば、フィルム等）からなる非止着部６２が形成されている。この非止着部６２は、背側部６の外面側に止着部２３が係合して止着テープ２０を引き出しにくくなる状況を防ぐことを目的として設けられている。従って、非止着部６２は、背側部６のうち少なくとも止着部２３と対向する位置に形成されていればよいが、例えば、図９に示すように、背側部６の外面側（着用者の身体と反対側の面）から端部を介して背側部６の内面側（着用者の身体側の面）に折り返される位置まで形成されていてもよい。
【００３９】
以上のように、変形例３に係る紙おむつ１００によれば、背側部６の外面側の止着部２３と対向する位置に、止着部２３と係合しない素材からなる非止着部６２が形成されているので、背側部６の外面側に止着部２３が係合して止着テープ２０を引き出しにくくなる状況を防ぐことができることとなって、紙おむつ１００をスムーズに装着させることができる。
【００４０】
＜変形例４＞
また、図１０に示す例では、被覆部６１の幅方向Ｙの外側の端部６１ａ、即ち、開口を有する端部６１ａが凹形状に形成されている。端部６１ａを凹形状に形成したことにより、止着テープ２０を引き出す際に、端部６１ａがフラットな形状のものと比べて、止着テープ２０の止着部配設部２２を掴み易くすることができる。
【００４１】
以上のように、変形例４に係る紙おむつ１００によれば、被覆部６１は、幅方向Ｙの外側の端部６１ａが凹形状に形成されているので、止着テープ２０を引き出す際に、止着テープ２０の止着部配設部２２を掴み易くすることができることとなって、紙おむつ１００をよりスムーズに装着させることができる。
【００４２】
なお、変形例１については変形例２〜４に組み合わせてもよい。また、変形例２については変形例３、４に組み合わせてもよい。さらに、変形例３については変形例４に組み合わせてもよい。
【００４３】
また、上記実施形態では、図４等に示したように、伸縮部２１の構造として糸ゴムや弾性発泡体の帯状物、フィルム状の弾性体、ネット状の弾性体、ポリウレタン等の伸縮性を有する素材等で形成したものを例示して説明しているが、これに限定されるものではない。例えば、図１１に示すように、ゴム状の弾性部材２１ａを２枚の不織布２１ｂ、２１ｂで挟み込んで伸縮部２１を形成するとともに、２枚の不織布２１ｂ、２１ｂにより止着部配設部２２の外面（着用者の身体と反対側の面）側及び内面（着用者の身体側の面）側から止着部配設部２２を挟み込み、ホットメルト等の接着剤や、熱や超音波によるシール等により止着部配設部２２と接着させるようにしてもよい。
【符号の説明】
【００４４】
１００  紙おむつ
１  トップシート
２  バックシート
３  吸収体
４  ギャザーシート
５  腹側部
５１  被止着部
６  背側部
６１  被覆部
６２  非止着部
７  股下部
８  脚周り部
２０  止着テープ（止着部材）
２１  伸縮部
２２  止着部配設部
２３  止着部
【図１】
0005872201.tif 000002
【図２】
0005872201.tif 000003
【図３】
0005872201.tif 000004
【図４】
0005872201.tif 000005
【図５】
0005872201.tif 000006
【図６】
0005872201.tif 000007
【図７】
0005872201.tif 000008
【図８】
0005872201.tif 000009
【図９】
0005872201.tif 000010
【図１０】
0005872201.tif 000011
【図１１】
0005872201.tif 000012